(57)【要約】【課題】使用者に向けて、冷風または温風の少なくとも一方を吹出す冷温風吹出口と、イオンミストを吐出するイオン吐出口とを備えて構成されるイオンドライヤーにおいて、イオンミストの使用者への到達効率を高める。【解決手段】図７（ａ）で示すように、冷温風吹出口６’の軸線６ａ’とイオン吐出口１１の軸線１１ａ’とが相互に平行な従来技術では、樹脂成型品から成る本体ケース４’の上部、特にノズル２６’の外周部分で、静電霧化部１２’で作成されたイオンミストが捕集されてしまい、後続のイオンミストもしくはイオンが反発して、使用者まで到達し難くなってしまうのに対して、本実施の形態では、図７（ｂ）で示すように、軸線６ａ，１１ａを相互に離反してゆくように構成することで、前記イオンミストの捕集を抑え、静電霧化部１２で作成されたイオンミストを高い効率で使用者まで到達させることができる。【選択図】図７
2008073291.tif 000002
【特許請求の範囲】
【請求項１】
使用者に向けて、冷風または温風の少なくとも一方を吹出す冷温風吹出口と、イオンミストを吐出するイオン吐出口とを備えて構成されるイオンドライヤーにおいて、
前記冷温風吹出口とイオン吐出口との軸線が、相互に離反してゆくことを特徴とするイオンドライヤー。
【請求項２】
内側に送風路およびそれから分岐された分岐路が形成された本体ケースと、
前記送風路内に配置され、該送風路の背後側から空気を流入させ、該送風路の前方側に形成された前記冷温風吹出口から前記使用者に向けて吹出させる送風手段と、
前記分岐路内に配置され、放電電極と対向電極とを有し、前記放電電極で液体を静電霧化させた後、前記分岐路の前方側に形成された前記イオン吐出口から前記イオンミストを吐出する静電霧化部とを備えて構成されることを特徴とする請求項１記載のイオンドライヤー。
【請求項３】
前記本体ケースの前記冷温風吹出口を形成するノズルは、先端側に向かって傾斜して絞られており、その傾斜が、イオン吐出口側が反対側に比べて大きくなるように形成されることで、前記冷温風吹出口とイオン吐出口との軸線を相互に離反させてゆくことを特徴とする請求項２記載のイオンドライヤー。
【請求項４】
前記イオン吐出口には、前記イオンミストを通過させつつ、該イオン吐出口内への異物の侵入を阻止し、絶縁体から成る多孔板が設けられており、その多孔板は、外周縁部から延設された周壁によって前記本体ケースにおける前記分岐路の内周面に取付られ、前記周壁の一部分が前記静電霧化部の対向電極部分を覆わないように、切欠かれていることを特徴とする請求項２または３記載のイオンドライヤー。
【請求項５】
前記冷温風吹出口とイオン吐出口との軸線の相互間の傾斜角が、１２〜３０°であることを特徴とする請求項１〜４のいずれか１項に記載のイオンドライヤー。
【発明の詳細な説明】
【技術分野】
【０００１】
本発明は、冷風または温風の少なくとも一方を吹出すとともに、併せてイオンミストを吐出するようにしたイオンドライヤーに関する。
【背景技術】
【０００２】
上記のように、冷風または温風の少なくとも一方を吹出すとともに、併せてマイナスイオンやナノサイズのイオンミストを吐出することで、髪のまとまりが良くなり、またダメージを防止できるなど、様々な効果を発揮することができるイオンドライヤーが、人気を博している。そのようなイオンドライヤーの典型的な従来技術は、本件出願人によって提案された特許文献１である。そして、最近、特許文献２による前記イオンミストの粒を大径化することで、より大きな効果が得られるイオンドライヤーが商品化された。
【特許文献１】特開２００２−１９１４２６号公報
【特許文献２】特開２００５−３０４９６１号公報
【発明の開示】
【発明が解決しようとする課題】
【０００３】
これらの従来技術によれば、冷風または温風の少なくとも一方を吹出す冷温風吹出口と、イオンミストを吐出するイオン吐出口との軸線が、相互に平行となっている。そのため、静電霧化部で発生され、イオン吐出口から吐出されたイオンミストが、樹脂成形品から成り、帯電し易い本体ケースの前記冷温風吹出口を形成するノズルの外周部分に捕集されてしまい、その帯電したノズルの外周部分に後続のイオンミストもしくはイオンが反発して、使用者まで到達し難い状況が発生する可能性があった。
【０００４】
本発明の目的は、イオンミストを高い効率で使用者まで到達させることができるイオンドライヤーを提供することである。
【課題を解決するための手段】
【０００５】
本発明のイオンドライヤーは、使用者に向けて、冷風または温風の少なくとも一方を吹出す冷温風吹出口と、イオンミストを吐出するイオン吐出口とを備えて構成されるイオンドライヤーにおいて、前記冷温風吹出口とイオン吐出口との軸線が、相互に離反してゆくことを特徴とする。
【０００６】
上記の構成によれば、たとえば内側に送風路およびそれから分岐された分岐路が形成された本体ケースと、前記送風路内に配置され、該送風路の背後側から空気を流入させ、該送風路の前方側に形成された冷温風吹出口から使用者に向けて吹出させる送風手段と、前記分岐路内に配置され、放電電極と対向電極とを有し、前記放電電極で液体を静電霧化させた後、前記分岐路の前方側に形成されたイオン吐出口から前記イオンミストを吐出する静電霧化部とを備えて構成され、使用者に向けて、前記冷温風吹出口から冷風または温風の少なくとも一方を吹出すとともに、前記イオン吐出口からイオンミストを吐出するようにしたイオンドライヤーにおいて、先端側に向かって傾斜して絞られている前記本体ケースの前記冷温風吹出口を形成するノズルを、その傾斜が、イオン吐出口側が反対側に比べて大きくなるように形成するなどして、前記冷温風吹出口とイオン吐出口との軸線が、相互に離反してゆくように構成する。
【０００７】
したがって、前記静電霧化部で作成されたイオンミストが、樹脂成型品などから成る本体ケースの前記冷温風吹出口を形成するノズルの外周部分に捕集されてしまわないようにすることができ、前記静電霧化部で作成されたイオンミストを高い効率で使用者まで到達させることができる。
【０００８】
また、本発明のイオンドライヤーは、前記イオン吐出口には、前記イオンミストを通過させつつ、該イオン吐出口内への異物の侵入を阻止し、絶縁体から成る多孔板が設けられており、その多孔板は、外周縁部から延設された周壁によって前記本体ケースにおける分岐路の内周面に取付られ、前記周壁の一部分が前記静電霧化部の対向電極部分を覆わないように、切欠かれていることを特徴とする。
【０００９】
上記の構成によれば、前記イオンミストを通過させつつ、高電圧が印加されている前記静電霧化部への前記イオン吐出口からの異物の侵入を阻止するために、前記イオン吐出口に絶縁体から成る多孔板を設けるにあたって、その多孔板を前記本体ケースにおける分岐路の内周面に取付るために外周縁部から周壁を延設し、その周壁の一部分が前記静電霧化部の対向電極部分を覆わないように、切欠いておく。
【００１０】
したがって、絶縁体から成る多孔板を設けるにあたって該多孔板に捕集されてしまうイオンミストも減少させることができる。
【００１１】
さらにまた、本発明のイオンドライヤーは、前記冷温風吹出口とイオン吐出口との軸線の相互間の傾斜角が、１２〜３０°であることを特徴とする。
【００１２】
上記の構成によれば、前記静電霧化部で作成されたイオンミストが前記本体ケースのノズルの外周部分に捕集されないように離反させつつ、イオンミストの吐出方向を使用者の方向から大きく逸れないようにして、イオンミストを使用者までより高い効率で到達させることができる。
【発明の効果】
【００１３】
本発明のイオンドライヤーは、以上のように、たとえば内側に送風路およびそれから分岐された分岐路が形成された本体ケースと、前記送風路内に配置され、該送風路の背後側から空気を流入させ、該送風路の前方側に形成された冷温風吹出口から使用者に向けて吹出させる送風手段と、前記分岐路内に配置され、放電電極と対向電極とを有し、前記放電電極で液体を静電霧化させた後、前記分岐路の前方側に形成されたイオン吐出口から前記イオンミストを吐出する静電霧化部とを備えて構成され、使用者に向けて、前記冷温風吹出口から冷風または温風の少なくとも一方を吹出すとともに、前記イオン吐出口からイオンミストを吐出するようにしたイオンドライヤーにおいて、先端側に向かって傾斜して絞られている前記本体ケースの前記冷温風吹出口を形成するノズルを、その傾斜が、イオン吐出口側が反対側に比べて大きくなるように形成するなどして、前記冷温風吹出口とイオン吐出口との軸線が、相互に離反してゆくように構成する。
【００１４】
それゆえ、前記静電霧化部で作成されたイオンミストが、樹脂成型品などから成る本体ケースの前記冷温風吹出口を形成するノズルの外周部分に捕集されてしまわないようにすることができ、前記静電霧化部で作成されたイオンミストを高い効率で使用者まで到達させることができる。
【００１５】
また、本発明のイオンドライヤーは、以上のように、前記イオンミストを通過させつつ、高電圧が印加されている前記静電霧化部への前記イオン吐出口からの異物の侵入を阻止するために、前記イオン吐出口に絶縁体から成る多孔板を設けるにあたって、その多孔板を前記本体ケースにおける分岐路の内周面に取付るために外周縁部から周壁を延設し、その周壁の一部分が前記静電霧化部の対向電極部分を覆わないように、切欠いておく。
【００１６】
それゆえ、絶縁体から成る多孔板を設けるにあたって該多孔板に捕集されてしまうイオンミストも減少させることができる。
【００１７】
さらにまた、本発明のイオンドライヤーは、以上のように、前記冷温風吹出口とイオン吐出口との軸線の相互間の傾斜角を、１２〜３０°とする。
【００１８】
それゆえ、前記静電霧化部で作成されたイオンミストが前記本体ケースのノズルの外周部分に捕集されないように離反させつつ、イオンミストの吐出方向を使用者の方向から大きく逸れないようにして、イオンミストを使用者までより高い効率で到達させることができる。
【発明を実施するための最良の形態】
【００１９】
図１は本発明の実施の一形態に係るイオンドライヤー１の外観側面図であり、図２はその断面図、図３はその分解斜視図である。このイオンドライヤー１は、大略的に、内側に送風路２およびそれから分岐された分岐路３が形成された本体ケース４と、前記送風路２内に配置され、該送風路２の背後側に形成された吸入口５から空気を流入させ、該送風路２の前方側に形成された冷温風吹出口６から使用者に向けて吹出させる送風手段７と、前記送風路２内に配置され、吸入空気を加熱して温風を作成する加熱部８と、前記分岐路３内に配置され、放電電極９と対向電極１０とを有し、前記放電電極９に供給された水滴を静電霧化した後、前記分岐路３の前方側に形成されたイオン吐出口１１からイオンミストとして吐出する静電霧化部１２と、ヒンジ部１３によって前記本体ケース４に折畳み可能な把手１４および電源コード１５とを備えて構成される。このような構成で、使用者に向けて、前記冷温風吹出口６から冷風または温風の少なくとも一方を吹出すとともに、前記イオン吐出口１１からイオンミストを吐出することができるようになっている。
【００２０】
前記送風手段７は、ファン７ａおよびそれを回転させるモータ７ｂが、筒体７ｃに収納されて構成され、前記把手１４に設けられたスイッチ１６への前記使用者の操作に応答して、風量の強弱などが制御可能となっている。この送風手段７の下流側には、前記加熱部８が設けられている。
【００２１】
前記加熱部８は、内部にセラミックヒータなどを備える本体８ａが断熱筒８ｂに収納されて成り、前記本体８ａを収納した状態で、前記断熱筒８ｂの端面に形成されたフランジ８ｃに、前記ファン７ａおよびモータ７ｂを搭載した筒体７ｃの端面７ｄが当接し、係合片７ｅ，８ｅが相互に係合することで、送風手段７および加熱部８が一体化される。
【００２２】
前記断熱筒８ｂは、異常時の変形などの安全性を考慮し、金属で形成されており、さらにアース線２０によって高電圧基板１８側にアースされている。前記本体８ａも前記スイッチ１６への前記使用者の操作に応答して、ＯＮ／ＯＦＦ、さらには温度の高低などが制御可能となっている。
【００２３】
前記２重筒構造の断熱筒８ｂの上部には切欠き８ｆが形成されており、この切欠き８ｆは前記筒体７ｃの上部に形成された切欠き７ｆと連通しており、また前記静電霧化部１２を駆動する高電圧基板１８および制御基板１９は、前記断熱筒８ｂの上部において、切欠き８ｆ部分を塞がないように、その両側にそれぞれ設けられている。したがって、前記ファン７ａで吸入口５から送風路２へ吸い込まれた空気が前記加熱部８を通過することで上述のように適宜加熱されて冷温風吹出口６から吹出されるとともに、その一部が前記分岐路３に流れ込み、前記静電霧化部１２を通過することで前記マイナスイオンやナノサイズのイオンミストを伴って、イオン吐出口１１から吹出される。
【００２４】
図４は前記静電霧化部１２の組立てた状態を示す斜視図であり、図５は拡大断面図である。静電霧化部１２は、針状の放電電極９と、その前方側に配置されるリング状の対向電極１０と、前記放電電極９を冷却するペルチェ素子１２ｇとを備えて構成される。
【００２５】
前記高電圧基板１８で作成されたマイナスの高電圧は、該高電圧を調整するための抵抗３０から前記放電電極９に与えられる。前記抵抗３０は、該イオンドライヤー１の上流側に配置するのが望ましく、これによってマイナスイオンやイオンミストの発生に、該抵抗３０が発生する帯電の影響をなくすことができる。
【００２６】
前記放電電極９は、ペルチェ素子１２ｇによって冷却されることでその先端に空気中の水分が結露し、その水分に電極９，１０間で高電圧放電を行うことで、水の補給なしで、大径のナノサイズイオンミストを作成可能となっている。このように構成される静電霧化部１２は、前記断熱筒８ｂ上に搭載された後、その前方に、前記イオンミストを通過させつつ、高電圧が印加されている前記静電霧化部１２への前記イオン吐出口１１からの異物の侵入を阻止するための多孔板１７が配置され、それらが前記本体ケース４の一部を成す上カバー４ａで覆われる。
【００２７】
前記多孔板１７は、絶縁体から成り、その外周縁部から延設され、リブとなる周壁１７ａによって、前記上カバー４ａの内周面に取付けられる。前記周壁１７ａには、その一部分に前記静電霧化部１２の対向電極１０部分を覆わないように、切欠き１７ｂが形成されている。これによって、前記イオンミストを通過させつつ、異物の侵入を阻止するために絶縁体から成る多孔板１７を設けるにあたって、その多孔板１７を静電霧化部１２とは別体とし、さらに前記切欠き１７ｂを設けることで、該多孔板１７に捕集されてしまうイオンミストを減少させることができる（該多孔板１７を帯電し難くすることができる）。
【００２８】
前記切欠き１７ｂは、たとえば前記対向電極１０部分の幅に合わせた幅Ｗ１、たとえば２０ｍｍに亘って形成される。この切欠き１７ｂは、前記対向電極１０部分の少なくとも一部を覆わないように形成されて（前記周壁１７ａの一部分を切欠いて）いれば効果があり、図６の多孔板１７’で示すように、複数箇所に設けられていてもよく、また図４のように多孔板１７の頂部に限らず、図６で示すように側部に設けられていてもよい。しかしながら、この切欠き１７ｂは、大きく形成されている方が効果が大きく、前記上カバー４ａへの取付け強度および異物が押し込まれた際の該多孔板１７の撓みが許容できる範囲で、大きく形成されればよい。
【００２９】
前記本体ケース４は、前記上カバー４ａおよび左右カバー４ｂ，４ｃから構成されており、前記送風手段７、加熱部８、静電霧化部１２、高電圧基板１８および制御基板１９などを収納した後、上部側が爪４ｄの嵌め合せにより、下部側がビス４ｅのねじ止めにより、組立てられる。
【００３０】
把手１４も、左右一対のカバー１４ａ，１４ｂ間に前記スイッチ１６などが収容された後、前記ビス４ｅおよびビス１４ｅのねじ止めにより、組立てられる。この把手１４の一端側は、前記ビス４ｅの受けとなるボス１４ｃが前記本体ケース４の下部に形成された軸孔４ｆを挿通していることで、前述のように折畳み可能となっている。この把手１４の他端側は、前記電源コード１５が着脱可能となっている。
【００３１】
前記本体ケース４の背後側には、金網２１が取付け枠２２から吸込口リング２３を介して取付けられることで前記吸入口５が形成され、同様に本体ケース４の前方側には、金網２４が吐出口リング２５を介して取付けられた後、着脱可能なノズル２６が被せられることで前記冷温風吹出口６が形成される。前記吸込口リング２３および吹出口リング２５は、ビス４ｇ，４ｈによって本体ケース４にねじ止め固定される。このように吹出口リング２５とノズル２６とを別体で構成することで、吹出口リング２５が帯電しずらくなる。
【００３２】
上述のように構成されるイオンドライヤー１において、注目すべきは、本実施の形態では、先端側に向かって傾斜して絞られているノズル２６において、その傾斜を、イオン吐出口１１側が、その反対側に比べて大きくなるように形成することで、前記冷温風吹出口６の軸線６ａとイオン吐出口１１の軸線６ｂとが、相互に離反してゆくように構成されていることである。
【００３３】
これによって、図７（ａ）で示すように軸線６ａ’，１１ａ’が相互に平行な従来技術では、静電霧化部１２’よりも下流側にある部品、すなわち樹脂成型品から成る本体ケース４’の上部、特にノズル２６’の外周部分で、前記静電霧化部１２’で作成されたイオンミストが捕集されてしまい、その帯電したノズル２６’の外周部分に後続のイオンミストもしくはイオンが反発して、使用者まで到達し難くなってしまう可能性があるのに対して、本実施の形態のように前記軸線６ａ，１１ａを相互に離反してゆくように構成することで、図７（ｂ）で示すように前記イオンミストの捕集を抑え、前記静電霧化部１２で作成されたイオンミストを高い効率で使用者まで到達させることができる。
【００３４】
また、前記軸線６ａの軸線１１ａに対する傾斜角を前記１２〜３０°の範囲とすることで、イオンミストの吐出方向を使用者の方向から大きく逸れないようにして、イオンミストを使用者までより高い効率で到達させることができる。なお、本実施の形態では、イオン吐出口１１の軸線１１ａを該イオンドライヤー１の主軸と平行とし、冷温風吹出口６の軸線６ａを前記主軸からずらせることで軸線６ａ，１１ａが離反してゆくようにしたけれども、前記冷温風吹出口６の軸線６ａを前記主軸と平行とし、イオン吐出口１１の軸線１１ａを上方へずらすようにしてもよい。
【図面の簡単な説明】
【００３５】
【図１】本発明の実施の一形態に係るイオンドライヤーの外観側面図である。
【図２】前記イオンドライヤーの断面図である。
【図３】前記イオンドライヤーの分解斜視図である。
【図４】ナノサイズのイオンミストを発生する静電霧化部の組立てた状態を示す斜視図である。
【図５】前記静電霧化部の拡大断面図である。
【図６】前記静電霧化部を覆う多孔板に形成される切欠きの他の例を説明するための図である。
【図７】従来例と本発明の一実施形態とのイオンドライヤーにおけるイオンミストの使用者への到達効率の違いを説明するための図である。
【符号の説明】
【００３６】
１    イオンドライヤー
２    送風路
３    分岐路
４    本体ケース
４ａ    上カバー
４ｂ，４ｃ    左右カバー
５    吸入口
６    冷温風吹出口
７    送風手段
７ａ    ファン
７ｂ    モータ
８    加熱部
８ａ    本体
８ｂ    断熱筒
９    放電電極
１０    対向電極
１１    イオン吐出口
１２    静電霧化部
１２ｇ  ペルチェ素子
１３    ヒンジ部
１４    把手
１６    スイッチ
１７    多孔板
１７ａ  周壁
１７ｂ  切欠き
１８    高電圧基板
１９    制御基板
２１，２４    金網
２２    取付け枠
２３    吸込口リング
２５    吐出口リング
２６    ノズル
３０    抵抗
【図１】
2008073291.tif 000003
【図２】
2008073291.tif 000004
【図３】
2008073291.tif 000005
【図４】
2008073291.tif 000006
【図５】
2008073291.tif 000007
【図６】
2008073291.tif 000008
【図７】
2008073291.tif 000009
【手続補正書】
【提出日】平成19年4月10日(2007.4.10)
【手続補正１】
【補正対象書類名】明細書
【補正対象項目名】全文
【補正方法】変更
【補正の内容】
【発明の詳細な説明】
【技術分野】
【０００１】
本発明は、冷風または温風の少なくとも一方を吹出すとともに、併せてイオンミストを吐出するようにしたイオンドライヤーに関する。
【背景技術】
【０００２】
上記のように、冷風または温風の少なくとも一方を吹出すとともに、併せてマイナスイオンやナノサイズのイオンミストを吐出することで、髪のまとまりが良くなり、またダメージを防止できるなど、様々な効果を発揮することができるイオンドライヤーが、人気を博している。そのようなイオンドライヤーの典型的な従来技術は、本件出願人によって提案された特許文献１である。そして、最近、特許文献２による前記イオンミストの粒を大径化することで、より大きな効果が得られるイオンドライヤーが商品化された。
【特許文献１】特開２００２−１９１４２６号公報
【特許文献２】特開２００５−３０４９６１号公報
【発明の開示】
【発明が解決しようとする課題】
【０００３】
これらの従来技術によれば、冷風または温風の少なくとも一方を吹出す冷温風吹出口と、イオンミストを吐出するイオン吐出口との軸線が、相互に平行となっている。そのため、静電霧化部で発生され、イオン吐出口から吐出されたイオンミストが、樹脂成形品から成り、帯電し易い本体ケースの前記冷温風吹出口を形成するノズルの外周部分に捕集されてしまい、その帯電したノズルの外周部分に後続のイオンミストもしくはイオンが反発して、使用者まで到達し難い状況が発生する可能性があった。
【０００４】
本発明の目的は、イオンミストを高い効率で使用者まで到達させることができるイオンドライヤーを提供することである。
【課題を解決するための手段】
【０００５】
本発明のイオンドライヤーは、使用者に向けて、冷風または温風の少なくとも一方を吹出す冷温風吹出口と、イオンミストを吐出するイオン吐出口とを備えて構成されるイオンドライヤーにおいて、前記冷温風吹出口とイオン吐出口との軸線が、相互に離反してゆくことを特徴とする。
【０００６】
上記の構成によれば、たとえば内側に送風路およびそれから分岐された分岐路が形成された本体ケースと、前記送風路内に配置され、該送風路の背後側から空気を流入させ、該送風路の前方側に形成された冷温風吹出口から使用者に向けて吹出させる送風手段と、前記分岐路内に配置され、放電電極と対向電極とを有し、前記放電電極で液体を静電霧化させた後、前記分岐路の前方側に形成されたイオン吐出口から前記イオンミストを吐出する静電霧化部とを備えて構成され、使用者に向けて、前記冷温風吹出口から冷風または温風の少なくとも一方を吹出すとともに、前記イオン吐出口からイオンミストを吐出するようにしたイオンドライヤーにおいて、先端側に向かって傾斜して絞られている前記本体ケースの前記冷温風吹出口を形成するノズルを、その傾斜が、イオン吐出口側が反対側に比べて大きくなるように形成するなどして、前記冷温風吹出口とイオン吐出口との軸線が、相互に離反してゆくように構成する。
【０００７】
したがって、前記静電霧化部で作成されたイオンミストが、樹脂成型品などから成る本体ケースの前記冷温風吹出口を形成するノズルの外周部分に捕集されてしまわないようにすることができ、前記静電霧化部で作成されたイオンミストを高い効率で使用者まで到達させることができる。
【０００８】
また、本発明のイオンドライヤーは、前記イオン吐出口には、前記イオンミストを通過させつつ、該イオン吐出口内への異物の侵入を阻止し、絶縁体から成る多孔板が設けられており、その多孔板は、外周縁部から延設された周壁によって前記本体ケースにおける分岐路の内周面に取付られ、前記周壁の一部分が前記静電霧化部の対向電極部分を覆わないように、切欠かれていることを特徴とする。
【０００９】
上記の構成によれば、前記イオンミストを通過させつつ、高電圧が印加されている前記静電霧化部への前記イオン吐出口からの異物の侵入を阻止するために、前記イオン吐出口に絶縁体から成る多孔板を設けるにあたって、その多孔板を前記本体ケースにおける分岐路の内周面に取付るために外周縁部から周壁を延設し、その周壁の一部分が前記静電霧化部の対向電極部分を覆わないように、切欠いておく。
【００１０】
したがって、絶縁体から成る多孔板を設けるにあたって該多孔板に捕集されてしまうイオンミストも減少させることができる。
【００１１】
さらにまた、本発明のイオンドライヤーは、前記冷温風吹出口とイオン吐出口との軸線の相互間の傾斜角が、１２〜３０°であることを特徴とする。
【００１２】
上記の構成によれば、前記静電霧化部で作成されたイオンミストが前記本体ケースのノズルの外周部分に捕集されないように離反させつつ、イオンミストの吐出方向を使用者の方向から大きく逸れないようにして、イオンミストを使用者までより高い効率で到達させることができる。
【発明の効果】
【００１３】
本発明のイオンドライヤーは、以上のように、たとえば内側に送風路およびそれから分岐された分岐路が形成された本体ケースと、前記送風路内に配置され、該送風路の背後側から空気を流入させ、該送風路の前方側に形成された冷温風吹出口から使用者に向けて吹出させる送風手段と、前記分岐路内に配置され、放電電極と対向電極とを有し、前記放電電極で液体を静電霧化させた後、前記分岐路の前方側に形成されたイオン吐出口から前記イオンミストを吐出する静電霧化部とを備えて構成され、使用者に向けて、前記冷温風吹出口から冷風または温風の少なくとも一方を吹出すとともに、前記イオン吐出口からイオンミストを吐出するようにしたイオンドライヤーにおいて、先端側に向かって傾斜して絞られている前記本体ケースの前記冷温風吹出口を形成するノズルを、その傾斜が、イオン吐出口側が反対側に比べて大きくなるように形成するなどして、前記冷温風吹出口とイオン吐出口との軸線が、相互に離反してゆくように構成する。
【００１４】
それゆえ、前記静電霧化部で作成されたイオンミストが、樹脂成型品などから成る本体ケースの前記冷温風吹出口を形成するノズルの外周部分に捕集されてしまわないようにすることができ、前記静電霧化部で作成されたイオンミストを高い効率で使用者まで到達させることができる。
【００１５】
また、本発明のイオンドライヤーは、以上のように、前記イオンミストを通過させつつ、高電圧が印加されている前記静電霧化部への前記イオン吐出口からの異物の侵入を阻止するために、前記イオン吐出口に絶縁体から成る多孔板を設けるにあたって、その多孔板を前記本体ケースにおける分岐路の内周面に取付るために外周縁部から周壁を延設し、その周壁の一部分が前記静電霧化部の対向電極部分を覆わないように、切欠いておく。
【００１６】
それゆえ、絶縁体から成る多孔板を設けるにあたって該多孔板に捕集されてしまうイオンミストも減少させることができる。
【００１７】
さらにまた、本発明のイオンドライヤーは、以上のように、前記冷温風吹出口とイオン吐出口との軸線の相互間の傾斜角を、１２〜３０°とする。
【００１８】
それゆえ、前記静電霧化部で作成されたイオンミストが前記本体ケースのノズルの外周部分に捕集されないように離反させつつ、イオンミストの吐出方向を使用者の方向から大きく逸れないようにして、イオンミストを使用者までより高い効率で到達させることができる。
【発明を実施するための最良の形態】
【００１９】
図１は本発明の実施の一形態に係るイオンドライヤー１の外観側面図であり、図２はその断面図、図３はその分解斜視図である。このイオンドライヤー１は、大略的に、内側に送風路２およびそれから分岐された分岐路３が形成された本体ケース４と、前記送風路２内に配置され、該送風路２の背後側に形成された吸入口５から空気を流入させ、該送風路２の前方側に形成された冷温風吹出口６から使用者に向けて吹出させる送風手段７と、前記送風路２内に配置され、吸入空気を加熱して温風を作成する加熱部８と、前記分岐路３内に配置され、放電電極９と対向電極１０とを有し、前記放電電極９に供給された水滴を静電霧化した後、前記分岐路３の前方側に形成されたイオン吐出口１１からイオンミストとして吐出する静電霧化部１２と、ヒンジ部１３によって前記本体ケース４に折畳み可能な把手１４および電源コード１５とを備えて構成される。このような構成で、使用者に向けて、前記冷温風吹出口６から冷風または温風の少なくとも一方を吹出すとともに、前記イオン吐出口１１からイオンミストを吐出することができるようになっている。
【００２０】
前記送風手段７は、ファン７ａおよびそれを回転させるモータ７ｂが、筒体７ｃに収納されて構成され、前記把手１４に設けられたスイッチ１６への前記使用者の操作に応答して、風量の強弱などが制御可能となっている。この送風手段７の下流側には、前記加熱部８が設けられている。
【００２１】
前記加熱部８は、内部にセラミックヒータなどを備える本体８ａが断熱筒８ｂに収納されて成り、前記本体８ａを収納した状態で、前記断熱筒８ｂの端面に形成されたフランジ８ｃに、前記ファン７ａおよびモータ７ｂを搭載した筒体７ｃの端面７ｄが当接し、係合片７ｅ，８ｅが相互に係合することで、送風手段７および加熱部８が一体化される。
【００２２】
前記断熱筒８ｂは、異常時の変形などの安全性を考慮し、金属で形成されており、さらにアース線２０（図５参照）によって高電圧基板１８側にアースされている。前記本体８ａも前記スイッチ１６への前記使用者の操作に応答して、ＯＮ／ＯＦＦ、さらには温度の高低などが制御可能となっている。
【００２３】
前記２重筒構造の断熱筒８ｂの上部には切欠き８ｆが形成されており、この切欠き８ｆは前記筒体７ｃの上部に形成された切欠き７ｆと連通しており、また前記静電霧化部１２を駆動する高電圧基板１８および制御基板１９は、前記断熱筒８ｂの上部において、切欠き８ｆ部分を塞がないように、その両側にそれぞれ設けられている。したがって、前記ファン７ａで吸入口５から送風路２へ吸い込まれた空気が前記加熱部８を通過することで上述のように適宜加熱されて冷温風吹出口６から吹出されるとともに、その一部が前記分岐路３に流れ込み、前記静電霧化部１２を通過することで前記マイナスイオンやナノサイズのイオンミストを伴って、イオン吐出口１１から吹出される。
【００２４】
図４は前記静電霧化部１２の組立てた状態を示す斜視図であり、図５は拡大断面図である。静電霧化部１２は、針状の放電電極９と、その前方側に配置されるリング状の対向電極１０と、前記放電電極９を冷却するペルチェ素子１２ｇとを備えて構成される。
【００２５】
前記高電圧基板１８で作成されたマイナスの高電圧は、該高電圧を調整するための抵抗３０から前記放電電極９に与えられる。前記抵抗３０は、該イオンドライヤー１の上流側に配置するのが望ましく、これによってマイナスイオンやイオンミストの発生に、該抵抗３０が発生する帯電の影響をなくすことができる。
【００２６】
前記放電電極９は、ペルチェ素子１２ｇによって冷却されることでその先端に空気中の水分が結露し、その水分に電極９，１０間で高電圧放電を行うことで、水の補給なしで、大径のナノサイズイオンミストを作成可能となっている。このように構成される静電霧化部１２は、前記断熱筒８ｂ上に搭載された後、その前方に、前記イオンミストを通過させつつ、高電圧が印加されている前記静電霧化部１２への前記イオン吐出口１１からの異物の侵入を阻止するための多孔板１７が配置され、それらが前記本体ケース４の一部を成す上カバー４ａで覆われる。
【００２７】
前記多孔板１７は、絶縁体から成り、その外周縁部から延設され、リブとなる周壁１７ａによって、前記上カバー４ａの内周面に取付けられる。前記周壁１７ａには、その一部分に前記静電霧化部１２の対向電極１０部分を覆わないように、切欠き１７ｂが形成されている。これによって、前記イオンミストを通過させつつ、異物の侵入を阻止するために絶縁体から成る多孔板１７を設けるにあたって、その多孔板１７を静電霧化部１２とは別体とし、さらに前記切欠き１７ｂを設けることで、該多孔板１７に捕集されてしまうイオンミストを減少させることができる（該多孔板１７を帯電し難くすることができる）。
【００２８】
前記切欠き１７ｂは、たとえば前記対向電極１０部分の幅に合わせた幅Ｗ１、たとえば２０ｍｍに亘って形成される。この切欠き１７ｂは、前記対向電極１０部分の少なくとも一部を覆わないように形成されて（前記周壁１７ａの一部分を切欠いて）いれば効果があり、図６の多孔板１７’で示すように、複数箇所に設けられていてもよく、また図４のように多孔板１７の頂部に限らず、図６で示すように側部に設けられていてもよい。しかしながら、この切欠き１７ｂは、大きく形成されている方が効果が大きく、前記上カバー４ａへの取付け強度および異物が押し込まれた際の該多孔板１７の撓みが許容できる範囲で、大きく形成されればよい。
【００２９】
前記本体ケース４は、前記上カバー４ａおよび左右カバー４ｂ，４ｃから構成されており、前記送風手段７、加熱部８、静電霧化部１２、高電圧基板１８および制御基板１９などを収納した後、上部側が爪４ｄの嵌め合せにより、下部側がビス４ｅのねじ止めにより、組立てられる。
【００３０】
把手１４も、左右一対のカバー１４ａ，１４ｂ間に前記スイッチ１６などが収容された後、前記ビス４ｅおよびビス１４ｅのねじ止めにより、組立てられる。この把手１４の一端側は、前記ビス４ｅの受けとなるボス１４ｃが前記本体ケース４の下部に形成された軸孔４ｆを挿通していることで、前述のように折畳み可能となっている。この把手１４の他端側は、前記電源コード１５が着脱可能となっている。
【００３１】
前記本体ケース４の背後側には、金網２１が取付け枠２２から吸込口リング２３を介して取付けられることで前記吸入口５が形成され、同様に本体ケース４の前方側には、金網２４が吐出口リング２５を介して取付けられた後、着脱可能なノズル２６が被せられることで前記冷温風吹出口６が形成される。前記吸込口リング２３および吹出口リング２５は、ビス４ｇ，４ｈによって本体ケース４にねじ止め固定される。このように吹出口リング２５とノズル２６とを別体で構成することで、吹出口リング２５が帯電しずらくなる。
【００３２】
上述のように構成されるイオンドライヤー１において、注目すべきは、本実施の形態では、先端側２６ａ、２６ｂに向かって傾斜して絞られているノズル２６において、その傾斜θ１、θ２を、イオン吐出口１１側θ２が、その反対側θ１に比べて大きくなるように形成することで、前記冷温風吹出口６の軸線６ａ（２）とイオン吐出口１１の軸線１１ａ（３）とが、相互に離反してゆくように構成されていることである。
【００３３】
これによって、図７（ａ）で示すように軸線６ａ’（２），１１ａ’（３）が相互に平行な従来技術では、静電霧化部１２’よりも下流側にある部品、すなわち樹脂成型品から成る本体ケース４’の上部、特にノズル２６’の外周部分で、前記静電霧化部１２’で作成されたイオンミストが捕集されてしまい、その帯電したノズル２６’の外周部分に後続のイオンミストもしくはイオンが反発して、使用者まで到達し難くなってしまう可能性があるのに対して、本実施の形態のように前記軸線６ａ（２），１１ａ（３）を相互に離反してゆくように構成することで、図７（ｂ）で示すように前記イオンミストの捕集を抑え、前記静電霧化部１２で作成されたイオンミストを高い効率で使用者まで到達させることができる。
【００３４】
また、前記軸線６ａ（２）の軸線１１ａ（３）に対する傾斜角を前記１２〜３０°の範囲とすることで、イオンミストの吐出方向を使用者の方向から大きく逸れないようにして、イオンミストを使用者までより高い効率で到達させることができる。なお、本実施の形態では、イオン吐出口１１の軸線１１ａ（３）を該イオンドライヤー１の主軸と平行とし、冷温風吹出口６の軸線６ａ（２）を前記主軸からずらせることで軸線６ａ（２），１１ａ（３）が離反してゆくようにしたけれども、前記冷温風吹出口６の軸線６ａ（２）を前記主軸と平行とし、イオン吐出口１１の軸線１１ａ（３）を上方へずらすようにしてもよい。
【図面の簡単な説明】
【００３５】
【図１】本発明の実施の一形態に係るイオンドライヤーの外観側面図である。
【図２】前記イオンドライヤーの断面図である。
【図３】前記イオンドライヤーの分解斜視図である。
【図４】ナノサイズのイオンミストを発生する静電霧化部の組立てた状態を示す斜視図である。
【図５】前記静電霧化部の拡大断面図である。
【図６】前記静電霧化部を覆う多孔板に形成される切欠きの他の例を説明するための図である。
【図７】従来例と本発明の一実施形態とのイオンドライヤーにおけるイオンミストの使用者への到達効率の違いを説明するための図である。
【符号の説明】
【００３６】
１    イオンドライヤー
２    送風路
３    分岐路
４    本体ケース
４ａ    上カバー
４ｂ，４ｃ    左右カバー
５    吸入口
６    冷温風吹出口
７    送風手段
７ａ    ファン
７ｂ    モータ
８    加熱部
８ａ    本体
８ｂ    断熱筒
９    放電電極
１０    対向電極
１１    イオン吐出口
１２    静電霧化部
１２ｇ  ペルチェ素子
１３    ヒンジ部
１４    把手
１６    スイッチ
１７    多孔板
１７ａ  周壁
１７ｂ  切欠き
１８    高電圧基板
１９    制御基板
２１，２４    金網
２２    取付け枠
２３    吸込口リング
２５    吐出口リング
２６    ノズル
３０    抵抗
【手続補正２】
【補正対象書類名】図面
【補正対象項目名】全図
【補正方法】変更
【補正の内容】
【図１】
2008073291.tif 000010
【図２】
2008073291.tif 000011
【図３】
2008073291.tif 000012
【図４】
2008073291.tif 000013
【図５】
2008073291.tif 000014
【図６】
2008073291.tif 000015
【図７】
2008073291.tif 000016